(57)【要約】【課題】断熱壁内で排水樋に排水ホースを容易に接続することができる。【解決手段】本実施形態の冷蔵庫は、排水樋２５を形成する排水樋形成部材２２に排水ホース３１を接続するように構成されたものであって、排水ホース３１に設けられた係合部３１ａと、前記係合部３１ａに係合するように前記排水樋形成部材２２に取り付けられ前記排水ホース３１を抜け止めする抜け止め部材３２とを備えたものである。【選択図】図２
2020008243.tif 000002
【特許請求の範囲】
【請求項１】
排水樋を形成する排水樋形成部材に排水ホースを接続するように構成された冷蔵庫であって、
前記排水ホースに設けられた係合部と、
前記係合部に係合するように前記排水樋形成部材に取り付けられ、前記排水ホースを抜け止めする抜け止め部材と
を備えた冷蔵庫。
【請求項２】
前記排水ホースの係合部は、突起または凹部からなる段差で構成されており、
前記抜け止め部材は、前記段差に係合するように構成された請求項１記載の冷蔵庫。
【請求項３】
前記排水樋形成部材と前記排水ホースを接続する部位は、冷蔵庫の貯蔵空間を形成する内箱の背面側に配置されるように構成された請求項１または２記載の冷蔵庫。
【請求項４】
前記抜け止め部材は、前記内箱に前側から後側へ下がるように形成された傾斜面に当接されるように配置された請求項３記載の冷蔵庫。
【請求項５】
前記排水樋形成部材に前記抜け止め部材が取り付けられたときに、前記排水樋形成部材の背面と前記抜け止め部材の背面が面一となるように構成された請求項１から４のいずれか一項記載の冷蔵庫。
【請求項６】
前記排水ホースの係合部は、鍔部で構成され、
前記抜け止め部材は、前記排水ホースが収容される溝部を有し、
前記抜け止め部材が前記排水樋形成部材に取り付けられたときに、前記鍔部が前記抜け止め部材の上面の上に載置支持されるように構成された請求項１から５のいずれか一項記載の冷蔵庫。
【発明の詳細な説明】
【技術分野】
【０００１】
本発明の実施形態は、冷蔵庫に関する。
【背景技術】
【０００２】
冷蔵庫において、除霜水を排水する排水樋に排水ホースを接続する場合、庫内で両者を接続する構成が知られている。しかし、庫内で両者を接続する構成の場合には、パイプ等が庫内に露出しているため、見栄えが悪い、また、冷気シールによるシールが不完全であると、庫内に冷気が漏れたりするという問題があった。
【先行技術文献】
【特許文献】
【０００３】
【特許文献１】特開２０１２−３２０１３公報
【発明の概要】
【発明が解決しようとする課題】
【０００４】
上記問題を解消する構成として、断熱壁内で排水樋と排水ホースを接続する構成が知られている（例えば特許文献１）。この構成では、排水樋としての部品が別途必要であり、組立工数等が多くなるという問題があった。
そこで、断熱壁内で排水樋に排水ホースを容易に接続することができる冷蔵庫を提供する。
【課題を解決するための手段】
【０００５】
本実施形態の冷蔵庫は、排水樋を形成する排水樋形成部材に排水ホースを接続するように構成されたものであって、排水ホースに設けられた係合部と、前記係合部に係合するように前記排水樋形成部材に取り付けられ前記排水ホースを抜け止めする抜け止め部材とを備えたものである。
【図面の簡単な説明】
【０００６】
【図１】第１実施形態による冷蔵庫の縦断側面図
【図２】排水樋周辺の部分縦断側面図
【図３】中間絶縁部材に抜け止め部品を取り付ける様子を示す部分斜視図
【図４】排水樋周辺における排水ホースが配置されていない抜け止め部品部分の縦断面を示す部分縦断側面図
【図５】図２中のＶ−Ｖ線に沿う断面構成を示す斜視図
【図６】中間絶縁部材に抜け止め部品を取り付けた状態を示す背面図
【図７】中間絶縁部材及び抜け止め部品に粘着テープを張り付けた状態を示す背面図
【発明を実施するための形態】
【０００７】
（第１実施形態）
以下、第１実施形態による冷蔵庫を、図面を参照しながら説明する。図１は、本実施形態の冷蔵庫１０の概略構成を示す縦断側面面図である。以下の説明において、冷蔵庫１０の図１中の左側を前側、前面側とし、その反対方向を後側、背面側、又は奥側とする。
【０００８】
図１に示すように、冷蔵庫１０は、外郭を形成する外箱１１と貯蔵空間を形成する内箱１２との間に例えば発泡断熱材１３例えばウレタンフォームを充填した断熱箱体からなる冷蔵庫本体１４を備える。冷蔵庫本体１４の内部に形成される貯蔵空間は、仕切壁１５によって上方の冷凍室１６と下方の冷蔵室１７とに区画されている。仕切壁１５は、冷蔵庫本体１４の内部に形成される貯蔵空間を上下に断熱区画しており、仕切壁１５の上面が冷凍室１６の底面を構成し、仕切壁１５の下面が冷蔵室１７の天井面を構成している。
【０００９】
冷凍室１６の前面開口部は、図示しない例えばヒンジ式の冷凍室扉によって開閉可能に構成されている。冷凍室１６は、例えば−１８℃以下の冷凍温度に冷却される空間である。冷蔵室１７の前面開口部は、図示しない例えばヒンジ式の冷蔵室扉によって開閉可能に構成されている。冷蔵室１７は、例えば、０〜３℃の冷蔵温度に冷却される空間である。
【００１０】
冷凍室１６の背部には、冷却器１８を収納する冷却器室１９が設けられている。冷却器室１９の内部には、冷却器１８と図示しない送風ファンとが収納されている。送風ファンにより生成された空気、即ち、冷気は、図示しない冷凍ダクトを介して冷凍室１６内に供給され、冷凍ダクト及び図示しない冷蔵ダクトを介して冷蔵室１７内に供給されるように構成されている。
【００１１】
冷却器室１９に設けられた冷却器１８は、冷蔵庫１０の下部の機械室２０内に設けられた図示しない圧縮機、及び、いずれも図示しない凝縮器やキャピラリーチューブ等と共に冷凍サイクルを構成している。圧縮機から吐出される冷媒が凝縮器及びキャピラリーチューブを介して冷却器１８に導入される。これにより、冷却器１８は冷却器室１９内の空気を冷却するように構成されている。
【００１２】
さて、図２にも示すように、冷却器室１９内における冷却器１８の下方には、除霜用のガラス管ヒータ２１が配設されている。冷却器室１９の底部には、中間絶縁部材２２が配設されており、この中間絶縁部材２２は、冷蔵庫本体１４の後部断熱壁２３内、即ち、内箱１２と外箱１１との間における仕切壁１５の後方に配置されている。中間絶縁部材２２は、例えばＥＰＳ部品、即ち、発泡スチロール部品で構成されている。
【００１３】
中間絶縁部材２２の上部における冷却器１８及びガラス管ヒータ２１の下方部位には、除霜運転時にガラス管ヒータ２１の加熱により冷却器１８から除霜された除霜水を受けて排水する排水樋２５が設けられている。即ち、中間絶縁部材２２は、排水樋形成部材を構成している。排水樋２５は、中間絶縁部材２２に開口部が下へ行くほど小さくなるように形成された凹部２６と、凹部２６の下部に下方に延びるように形成された貫通孔２７とを有するように構成されており、全体として漏斗の内側形状を有している。凹部２６の内面部には、例えばアルミシートが貼り付けられている。貫通孔２７内には、例えばアルミパイプ２９が挿入されて固定されている。アルミパイプ２９の上端部には、凹部２６の下部の内面に沿って配置された拡開部２９ａが設けられている。
【００１４】
中間絶縁部材２２の貫通孔２７の下部には、貫通孔２７よりも径大な開口部３０が形成されている。図３、図４及び図５にも示すように、中間絶縁部材２２における上記開口部３０の下方には、排水ホース３１を通すと共に、別部品である例えば抜け止め部品３２を嵌合するための切欠部３３が形成されている。排水ホース３１は、排水樋２５で受けた除霜水を、冷蔵庫の本体の下部の機械室内に設けられた蒸発皿に導く。尚、図４は、図２の縦断面と異なる縦断面、即ち、排水ホース３１が配置されていない抜け止め部品３２部分の縦断面を示す。また、図５は、図２において、Ｖ−Ｖ線に沿って横断面にした構成を斜めにした状態を示す斜視図である。
【００１５】
排水ホース３１の上端部には、図２及び図５に示すように、係合部である例えば鍔部３１ａが形成されている。この鍔部３１ａは、突起に含まれる構成でもある。上記鍔部３１ａの外周部には、短円筒部３１ｂが一体に上方へ向けて形成されている。排水ホース３１の上端部を排水樋２５の下端部の開口部３０に接続するに際しては、排水ホース３１の上端部の短円筒部３１ｂを中間絶縁部材２２の開口部３０内に嵌合する。この場合、短円筒部３１ｂの外周部に例えばソフトテープを貼り付けておくことにより、短円筒部３１ｂを中間絶縁部材２２の開口部３０内に嵌合したときに、仮止めするように構成することが好ましい。排水ホース３１の短円筒部３１ｂを中間絶縁部材２２の開口部３０内に嵌合した状態では、短円筒部３１ｂと排水樋２５のアルミパイプ２９は重なり合うように構成されている。
【００１６】
そして、抜け止め部材である例えば抜け止め部品３２は、例えばＥＰＳ部品、即ち、発泡スチロール部品で構成されている。図２、図３、図４に示すように、抜け止め部品３２の下面部３２ａ及び前面部３２ｂには、排水ホース３１の上部が嵌合する断面ほぼ半円状の溝部３２ｃ及び３２ｄが形成されている。溝部３２ｄは、抜け止め部品３２の前面部３２ｂから上面３２ｅに跨って形成されている。溝部３２ｃは、抜け止め部品３２の下面部３２ａから背面３２ｆに跨って形成されている。
【００１７】
中間絶縁部材２２の下部には、排水樋２５の下端部の開口部３０を露出させるように切欠部３３が形成されている。切欠部３３の背面部から下面部にわたって、矩形状の開口部を有している。切欠部３３は、排水ホース３１の上部を収容すると共に、抜け止め部品３２を嵌合させるための内容積を有している。
【００１８】
排水ホース３１を上記したように仮止めした状態で、抜け止め部品３２を中間絶縁部材２２の切欠部３３内に嵌合すると、抜け止め部品３２の溝部３２ｃ、３２ｄ内に排水ホース３１の上部が嵌合し、抜け止め部品３２の上面３２ｅの上に排水ホース３１の鍔部３１ａが載置支持されるように構成されている。この構成の場合、鍔部３１ａの一部、例えば後側半分ぐらいの部分が抜け止め部品３２上に載っている。この結果、排水ホース３１の鍔部３１ａが抜け止め部品３２の上面３２ｅ、即ち、溝部３２ｄの上面開口縁部に係合することにより、排水ホース３１が抜け止めされる。
【００１９】
本実施形態においては、抜け止め部品３２を中間絶縁部材２２の切欠部３３内に嵌合したときには、図２、図４、図５、図６に示すように、排水樋２５を形成する中間絶縁部材２２の背面２２ａと抜け止め部品３２の背面３２ｆがほぼ面一となるように構成されている。そして、この状態で、図７に示すように、例えば粘着テープ３４を中間絶縁部材２２と抜け止め部品３２にまたがるように貼り付けることにより、抜け止め部品３２を中間絶縁部材２２に固定する。尚、抜け止め部品３２の背面３２ｆは、上から下へ行くほど後から前へ向けて傾斜する傾斜面となっている。また、中間絶縁部材２２は、内箱１２の背面に取り付けられている。図６に示すように、中間絶縁部材２２の下部は、内箱１２に例えば粘着テープ３４を両者にまたがるように張り付けることにより固定されている。
【００２０】
また、本実施形態では、図４に示すように、内箱１２における中間絶縁部材２２の下部が当接する部分は、前側から後側へ徐々に下がる傾斜面１２ａとなっている。そして、抜け止め部品３２の下面３２ａも、前側から後側へ徐々に下がる傾斜面となっており、抜け止め部品３２を中間絶縁部材２２の切欠部３３内に嵌合する際には、抜け止め部品３２の下面３２ａが内箱１２の傾斜面１２ａ上に当接しながらすべって行くように構成されている。抜け止め部品３２が切欠部３３内に完全に嵌合すると、抜け止め部品３２の前面３２ｂが切欠部３３の奥の面３３ａに当接し、抜け止め部品３２の上面３２ｅが切欠部３３の下面３３ｂに当接し、抜け止め部品３２の下面３２ａの傾斜面が内箱１２の傾斜面１２ａに当接するようになっている。
【００２１】
上記した構成の本実施形態においては、排水ホース３１の係合部である鍔部３１ａに、抜け止め部材である抜け止め部品３２が係合するように、該抜け止め部品３２を排水樋形成部材である中間絶縁部材２２に取り付けることにより、排水ホース３１を抜け止めした。この構成によれば、断熱壁内で排水樋２５に排水ホース３１を接続する構成でありながら、排水樋２５を形成する中間絶縁部材２２に抜け止め部品３２を取り付けるだけであるから、排水樋２５に排水ホース３１を容易に接続することができる。
【００２２】
また、上記実施形態においては、排水樋２５と排水ホース３１を接続する部位を、冷蔵庫本体１４の内箱１２の背面側に配置するように構成した。この構成によれば、断熱壁内で排水樋２５に排水ホース３１を接続する構成を容易に実現することができ、庫内への冷気漏れをなくすることができる。
【００２３】
上記実施形態では、抜け止め部品３２を、内箱１２に形成された傾斜面１２ａに当接させるように配置した。この構成によれば、抜け止め部品３２を中間絶縁部材２２の切欠部３３内に嵌合する際に、抜け止め部品３２の下面３２ａが内箱１２の傾斜面１２ａ上に当接しながらすべって行くことから、スムーズに嵌合することができ、また、抜け止め部品３２の脱落を防止することができる。
【００２４】
上記実施形態では、中間絶縁部材２２に抜け止め部品３２を取り付けたときに、中間絶縁部材２２の背面２２ａと抜け止め部品３２の背面３２ｆが面一となるように構成した。この構成によれば、中間絶縁部材２２の背面２２ａと抜け止め部品３２の背面３２ｆが面一であることにより、抜け止め部品３２の嵌合状態が確実であるか否かを容易に判別することができ、また、粘着テープ３４を張り付ける作業を容易に実行することができる。
【００２５】
上記実施形態では、排水ホース３１の係合部を鍔部３１ａで構成し、抜け止め部品３２に排水ホース３１が収容される溝部３２ｃ、３２ｄを形成し、抜け止め部品３２が中間絶縁部材２２に取り付けられたときに、鍔部３１ａが抜け止め部品３２の上面３２ｅの上に載置支持されるように構成した。この構成によれば、抜け止め部品３２により排水ホース３１を確実に抜け止めすることができる。
【００２６】
（その他の実施形態）
以上説明した複数の実施形態に加えて以下のような構成を加えても良い。
上記実施形態においては、排水ホース３１の係合部として鍔部３１ａ、即ち、突起を設けるように構成したが、これに限られるものではなく、鍔部以外の種々の形状の係合凸部を突起として設けても良く、また、種々の形状の係合凸部が係合可能な形状の凹部を設けても良い。即ち、係合部を上記した突起または上記した凹部からなる段差で構成するようにし、この段差に、抜け止め部品３２または抜け止め部品３２に形成された被係合部が係合するように構成することが好ましい。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
図面中、１０は冷蔵庫、１１は外箱、１２は内箱、１３は発泡断熱材、１４は冷蔵庫本体、１５は仕切壁、１６は冷凍室、１７は冷蔵室、１９は冷却器室、２１はガラス管ヒータ、２２は中間絶縁部材、２３は後部断熱壁、２５は排水樋、２６は凹部、２７は貫通孔、２９はアルミパイプ、３０は開口部、３１は排水ホース、３１ａは鍔部、３２は抜け止め部品、３３は切欠部、３４は粘着テープである。
【図１】
2020008243.tif 000003
【図２】
2020008243.tif 000004
【図３】
2020008243.tif 000005
【図４】
2020008243.tif 000006
【図５】
2020008243.tif 000007
【図６】
2020008243.tif 000008
【図７】
2020008243.tif 000009